(57)【要約】【課題】手書入力に関して優れた操作性を実現可能な電子機器を提供する。【解決手段】表示部としてのタッチスクリーン１０５は、表示面と、側面５０１と、側面５０１の反対側の側面５０２と、側面５０３と、側面５０３の反対側の側面５０４とを含む。携帯型電話機１は、ＣＰＵと、第１から第４の側面５０１〜５０４に加わる圧力を検出するための第１から第４の圧力センサ１１１〜１１４とを備える。手書入力を受け付けた場合、ＣＰＵは、手書入力の描画に用いる線の属性を、第１から第４の圧力センサ１１１〜１１４によって検出された圧力に基づいた属性に設定し、設定された属性の線による描画をタッチスクリーン１０５に実行させる。【選択図】図４
2013137696.tif 000002
【特許請求の範囲】
【請求項１】
表示部を備え、当該表示部への手書入力を受け付ける電子機器であって、
前記表示部は、表示面と、第１の側面と、当該第１の側面の反対側の第２の側面と、第３の側面と、当該第３の側面の反対側の第４の側面とを含み、
前記電子機器は、
プロセッサと、
前記第１の側面に加わる圧力を検出するための第１の圧力センサと、
前記第２の側面に加わる圧力を検出するための第２の圧力センサと、
前記第３の側面に加わる圧力を検出するための第３の圧力センサと、
前記第４の側面に加わる圧力を検出するための第４の圧力センサとを備え、
前記手書入力を受け付けた場合、前記プロセッサは、
前記手書入力の描画に用いる線の属性を、前記第１から第４の圧力センサによって検出された圧力に基づいた属性に設定し、
前記設定された属性の線による描画を前記表示部に実行させる、電子機器。
【請求項２】
前記プロセッサは、前記手書入力の描画に用いる線の属性を、前記第１から第４の圧力センサによって検出された圧力の合計値に基づいた属性に設定する、請求項１に記載の電子機器。
【請求項３】
前記線の属性は、線幅であって、
前記プロセッサは、
前記検出された圧力の合計値が第１の圧力である場合には、前記線幅を第１の線幅に設定し、
前記検出された圧力の合計値が前記第１の圧力よりも高い第２の圧力である場合には、前記線幅を前記第１の線幅よりも太い線幅である第２の線幅に設定する、請求項２に記載の電子機器。
【請求項４】
前記線の属性は、前記線幅と線の濃度とであって、
前記プロセッサは、
前記検出された圧力の合計値が前記第１の圧力である場合には、前記線の濃度を第１の濃度に設定し、
前記検出された圧力の合計値が前記第２の圧力である場合には、前記線の濃度を前記第１の濃度よりも濃い第２の濃度に設定する、請求項３に記載の電子機器。
【請求項５】
表示部を備え、当該表示部への手書入力を受け付ける電子機器における表示制御方法であって、
前記表示部は、表示面と、第１の側面と、当該第１の側面の反対側の第２の側面と、第３の側面と、当該第３の側面の反対側の第４の側面とを含み、
前記表示制御方法は、
前記手書入力を受け付けたことに基づき、圧力センサを用いて前記第１から第４の側面に加わる圧力を検出するステップと、
前記手書入力の描画に用いる線の属性を、前記検出された圧力に基づいた属性に設定するステップと、
前記属性が設定されたことに基づき、当該設定された属性の線による描画を前記表示部に実行させるステップとを備える、表示制御方法。
【請求項６】
表示部を備え、当該表示部への手書入力を受け付ける電子機器を制御するためのプログラムであって、
前記表示部は、表示面と、第１の側面と、当該第１の側面の反対側の第２の側面と、第３の側面と、当該第３の側面の反対側の第４の側面とを含み、
前記プログラムは、
前記手書入力を受け付けたことに基づき、圧力センサを用いて前記第１から第４の側面に加わる圧力を検出するステップと、
前記手書入力の描画に用いる線の属性を、前記検出された圧力に基づいた属性に設定するステップと、
前記属性が設定されたことに基づき、当該設定された属性の線による描画を前記表示部に実行させるステップとを、前記電子機器のプロセッサに実行させる、プログラム。
【発明の詳細な説明】
【技術分野】
【０００１】
本発明は、電子機器、表示制御方法、およびプログラムに関する。特に、本発明は、表示部を備える電子機器、当該電子機器における表示制御方法、および当該電子機器を制御するためのプログラムに関する。
【背景技術】
【０００２】
従来、タッチスクリーンを備えた電子機器が知られている。
特許文献１には、上記電子機器として、パネル型入力装置と、パネル型入力装置のパネル押圧部位（すなわち導電膜同士の接触点Ｐ）の位置（すなわち二次元座標Ｃ）を検出する座標検出部と、パネル型入力装置のパネル押圧部位（接触点Ｐ）の押圧力（すなわち導電膜同士の接触圧力Ｆ）を検出する圧力検出部とを備える構成が開示されている。当該圧力検出部は、パネル型入力装置の第１導電膜と第２導電膜とが互いに導通接触したときの、接触点Ｐを通る回路の電気抵抗（すなわち第１及び第２導電膜の内部抵抗）Ｒの変化に基づいて、接触点Ｐにおける第１及び第２導電膜の間の接触圧力Ｆを検出する。また、当該電子機器は、表示部の画面に表示される線の太さを接触圧力に応じて替わるように、表示部の表示動作を制御できる。
【０００３】
また、従来、タッチスクリーンを備えた電子機器において手書入力が可能な構成が知られている。
【０００４】
特許文献２には、当該手書入力が可能な電子機器として、手書き情報入力装置が開示されている。当該手書き情報入力装置では、ペンがタブレット本体を押すことによって発生する筆圧が、タブレット本体内の圧力を測定する圧力計によって測定され、筆圧検出手段によって検出される。筆圧検出手段は，タブレット本体内の流体の温度を温度計で測定することにより、流体の温度による膨張／縮小を差し引いた正しい筆圧を得ることができる。筆圧が０以上の場合、ペンによる手書き入力が行われているものとして、座標検出手段によって、座標検出シートとペンの接点の座標が検出される。制御部は、座標検出手段からの座標データと筆圧検出手段からの筆圧データによって、ディスプレイ装置の座標検出手段で検出した座標点へ筆圧検出手段で検出した筆圧に応じた太さの画素を表示させる。
【先行技術文献】
【特許文献】
【０００５】
【特許文献１】特開２００９−１２３１５８号公報
【特許文献２】特開平８−２２３５４号公報
【発明の概要】
【発明が解決しようとする課題】
【０００６】
しかしながら、特許文献１および２では、ユーザは、線幅を太くしたい場合、描画する向き（指またはスタイラスペンを動かす向き）と垂直の向きに力を加える必要がある。つまり、ユーザは、描画する向きとは異なる向きに力を加えることを意識する必要がある。このため、従来の装置は、ユーザにとって操作性に優れているとは言い難い。
【０００７】
本願は、上記の問題点に鑑みなされたものであって、その目的は、手書入力に関して優れた操作性を実現可能な電子機器、当該電子機器における表示制御方法、およびプログラムを提供することにある。
【課題を解決するための手段】
【０００８】
本発明のある局面に従うと、電子機器は、表示部を備え、当該表示部への手書入力を受け付ける。表示部は、表示面と、第１の側面と、当該第１の側面の反対側の第２の側面と、第３の側面と、当該第３の側面の反対側の第４の側面とを含む。電子機器は、プロセッサと、第１の側面に加わる圧力を検出するための第１の圧力センサと、第２の側面に加わる圧力を検出するための第２の圧力センサと、第３の側面に加わる圧力を検出するための第３の圧力センサと、第４の側面に加わる圧力を検出するための第４の圧力センサとを備える。手書入力を受け付けた場合、プロセッサは、手書入力の描画に用いる線の属性を、第１から第４の圧力センサによって検出された圧力に基づいた属性に設定し、設定された属性の線による描画を表示部に実行させる。
【０００９】
好ましくは、プロセッサは、手書入力の描画に用いる線の属性を、第１から第４の圧力センサによって検出された圧力の合計値に基づいた属性に設定する。
【００１０】
好ましくは、線の属性は、線幅である。プロセッサは、検出された圧力の合計値が第１の圧力である場合には、線幅を第１の線幅に設定し、検出された圧力の合計値が第１の圧力よりも高い第２の圧力である場合には、線幅を第１の線幅よりも太い線幅である第２の線幅に設定する。
【００１１】
好ましくは、線の属性は、線幅と線の濃度とである。プロセッサは、検出された圧力の合計値が第１の圧力である場合には、線の濃度を第１の濃度に設定し、検出された圧力の合計値が第２の圧力である場合には、線の濃度を第１の濃度よりも濃い第２の濃度に設定する。
【００１２】
本発明の他の局面に従うと、表示制御方法は、表示部を備え、当該表示部への手書入力を受け付ける電子機器において実行される。表示部は、表示面と、第１の側面と、当該第１の側面の反対側の第２の側面と、第３の側面と、当該第３の側面の反対側の第４の側面とを含む。表示制御方法は、手書入力を受け付けたことに基づき、圧力センサを用いて第１から第４の側面に加わる圧力を検出するステップと、手書入力の描画に用いる線の属性を、検出された圧力に基づいた属性に設定するステップと、属性が設定されたことに基づき、当該設定された属性の線による描画を表示部に実行させるステップとを備える。
【００１３】
本発明のさらに他の局面に従うと、プログラムは、表示部を備え、当該表示部への手書入力を受け付ける電子機器を制御するために用いられる。表示部は、表示面と、第１の側面と、当該第１の側面の反対側の第２の側面と、第３の側面と、当該第３の側面の反対側の第４の側面とを含む。プログラムは、手書入力を受け付けたことに基づき、圧力センサを用いて第１から第４の側面に加わる圧力を検出するステップと、手書入力の描画に用いる線の属性を、検出された圧力に基づいた属性に設定するステップと、属性が設定されたことに基づき、当該設定された属性の線による描画を表示部に実行させるステップとを、電子機器のプロセッサに実行させる。
【発明の効果】
【００１４】
本発明によれば、手書入力に関して優れた操作性を実現可能となる。
【図面の簡単な説明】
【００１５】
【図１】携帯型電話機の外観を示した図である。
【図２】タッチスクリーンを説明するための図である。
【図３】携帯型電話機のハードウェア構成を示した図である。
【図４】携帯型電話機の内部構造を説明するための図である。
【図５】携帯型電話機のユーザが指で手書入力を行なった場合を表した図である。
【図６】携帯型電話機のユーザがスタイラスペンを用いて手書入力を行なった場合を表した図である。
【図７】ペン先の摩擦係数が異なる３つのスタイラスペンを用いて手書入力を行なった場合を表した図である。
【図８】圧力と線幅との関係を表した図である。
【図９】携帯型電話機での処理の流れを表したフローチャートである。
【図１０】圧力の合計値と線の属性との対応付けを表した図である。
【発明を実施するための形態】
【００１６】
以下、図面を参照しつつ、本発明の実施の形態に係る電子機器について説明する。以下の説明では、同一の部品には同一の符号を付してある。それらの名称および機能も同じである。したがって、それらについての詳細な説明は繰り返さない。
【００１７】
本発明の実施の形態に係る電子機器としては、スマートフォンを含む携帯型電話機、ＰＤＡ（Personal Digital Assistant）、タブレット型のコンピュータ、ラップトップ型のコンピュータ、デスクトップ型のコンピュータ、デジタルフォトアルバム（デジタルフォトフレーム）、電子辞書、電子ブックリーダ等が挙げられる。以下では、電子機器として、携帯型電話機を例に挙げて説明する。
【００１８】
また、本実施の形態では、タッチスクリーンについての「移動」とは、形状変化を伴わずにタッチスクリーンが携帯型電話機の筐体内において位置を変化させることを意味する。また、圧力センサについての「変位」とは、圧力センサの形状変化を伴う変形を意味する。また、「移動」および「変位」は、目視できない程度の微小な変化も含む。
【００１９】
図１は、携帯型電話機１の外観を示した図である。図１を参照して、携帯型電話機１は、開口部１０ａを有する筐体１０と、表示部として機能するタッチスクリーン１０５と、操作キー１０７とを備える。詳細については後述するが、タッチスクリーン１０５は、筐体１０内において、Ｘ方向の正の向きおよび負の向きとＹ方向の正の向きおよび負の向きとの４つの向きに、移動（変位）可能に構成されている。なお、移動量については後述する（図４）。
【００２０】
図２は、タッチスクリーン１０５を説明するための図である。図２を参照して、タッチスクリーン１０５は、略直方体の形状を有している。タッチスクリーン１０５は、主面である表示面５００と、側面５０１と、側面５０１の反対側の側面５０２と、側面５０３と、側面５０３の反対側の側面５０４と、主面（表示面５００）に対する裏面５０５とを備えている。
【００２１】
側面５０１の法線Ｎ１と側面５０２の法線Ｎ２とは平行である。側面５０３の法線Ｎ３と側面５０４の法線Ｎ４とは平行である。法線Ｎ１と法線Ｎ３とは直交している。
【００２２】
図３は、携帯型電話機１のハードウェア構成を示した図である。図３を参照して、携帯型電話機１は、プログラムを実行するＣＰＵ（Central Processing Unit）１０１と、データを不揮発的に格納するＲＯＭ（Read Only Memory）１０２と、データを揮発的に格納するＲＡＭ（Random Access Memory）１０３と、フラッシュメモリ１０４と、タッチスクリーン１０５と、スピーカ１０６と、携帯型電話機１のユーザによる指示の入力を受ける操作キー１０７と、通信ＩＦ（Interface）１０８と、ＩＣ（Integrated Circuit）カードリーダライタ１０９と、電源ユニット１１０と、圧力センサ１１１と、圧力センサ１１２と、圧力センサ１１３と、圧力センサ１１４とを備える。
【００２３】
タッチスクリーン１０５は、表示装置としてのディスプレイ１０５１と、入力装置としてのタッチパネル１０５２とにより構成される。具体的には、タッチスクリーン１０５は、ディスプレイ１０５１（たとえば液晶ディスプレイ）上にタッチパネル１０５２を位置決めした上で固定することにより実現される。なお、タッチスクリーンは、タッチパネルディスプレイ、タッチパネル付きディスプレイ、あるいはタッチパネルモニタとも称される。なお、タッチスクリーン１０５においては、タッチ位置の検出方法として、たとえば抵抗膜方式または静電容量方式を用いることができる。
【００２４】
フラッシュメモリ１０４は、不揮発性の半導体メモリである。フラッシュメモリ１０４は、ＣＰＵ１０１が実行するプログラム、圧力に関する予め定められた値（以下、「閾値Ｔｈ」と称する）等の各種データを格納している。また、フラッシュメモリ１０４は、携帯型電話機１が生成したデータ、携帯型電話機１の外部装置から取得したデータ等の各種データを揮発的に格納する。
【００２５】
スピーカ１０６は、ＣＰＵ１０１からの指令に応じて音を発生させる。通信ＩＦ１０８は、他の装置と通信を行なうための用いられるインターフェースである。通信ＩＦ１０８は、無線および／または有線にてデータを送信するための処理を行なう。
【００２６】
タッチパネル１０５２は、ユーザの指およびスタイラスペン等による入力（タッチ入力）を受け付ける入力デバイスである。ＣＰＵ１０１は、タッチパネル１０５２からの出力に基づいて入力位置を特定し、当該特定した入力位置に基づいた画面表示を行なう。なお、当該タッチパネル１０５２を含むタッチスクリーン１０５は、タッチスクリーン１０５が変位可能に構成されている点を除き、従来のタッチスクリーンと同じ機能を有するため、ここでは、詳細な説明は繰り返さない。
【００２７】
圧力センサ１１１〜１１４は、タッチスクリーン１０５の変位により生じる圧力を検出するためのデバイスである。圧力センサ１１１〜１１４の設置場所、設置方法等については後述する（図４）。
【００２８】
各構成要素１０１〜１１４は、相互にデータバスによって接続されている。ＩＣカードリーダライタ１０９には、メモリカード１０９１が装着される。
【００２９】
携帯型電話機１における処理は、各ハードウェアおよびＣＰＵ１０１により実行されるソフトウェアによって実現される。このようなソフトウェアは、フラッシュメモリ１０４に予め記憶されている場合がある。また、ソフトウェアは、メモリカード１０９１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１０９その他の読取装置によりその記憶媒体から読み取られて、あるいは、通信ＩＦを介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００３０】
同図に示される携帯型電話機１を構成する各構成要素は、一般的なものである。したがって、本発明の本質的な部分は、フラッシュメモリ１０４、メモリカード１０９１その他の記憶媒体に格納されたソフトウェア、あるいはネットワークを介してダウンロード可能なソフトウェアであるともいえる。なお、携帯型電話機１の各ハードウェアの動作は周知であるので、詳細な説明は繰り返さない。
【００３１】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００３２】
ここでいうプログラムとは、ＣＰＵにより直接実行可能なプログラムだけでなく、ソースプログラム形式のプログラム、圧縮処理されたプログラム、暗号化されたプログラム等を含む。
【００３３】
図４は、携帯型電話機１の内部構造を説明するための図である。図４（ａ）は、図１のＩＶａ−ＩＶａ線矢視断面図である。図４（ｂ）は、図１のＩＶｃ−ＩＶｃ線矢視断面図である。図４（ｃ）は、図４（ａ）の状態からの遷移図である。
【００３４】
図４（ａ）を参照して、携帯型電話機１は、上述したように、４つの圧力センサ１１１〜１１４を備えている。圧力センサ１１１〜１１４は、筐体１０内の予め定められた位置に設置されている。具体的には、圧力センサ１１１は、タッチスクリーン１０５の側面５０１側の位置に設置されている。同様に、圧力センサ１１２〜１１４は、それぞれ、側面５０２，５０３，５０４側に設置されている。
【００３５】
圧力センサ１１１は、タッチスクリーン１０５の側面５０１に当接している。同様に、圧力センサ１１２〜１１４は、それぞれ、側面５０２，５０３，５０４に当接している。これにより、圧力センサ１１１〜１１４の各々は、タッチスクリーン１０５を保持する役割も果たしている。
【００３６】
圧力センサ１１１〜１１４は、一定の向きに力が加わると当該向きに変位する。たとえば、圧力センサ１１１は、Ｙ軸方向の正の向き（図の下向き）の力が加わると、当該正の向きに、厚みが縮んだ状態となる。同様に、圧力センサ１１２は、Ｙ軸方向の負の向き（図の上向き）の力が加わると、当該負の向きに、厚みが縮んだ状態となる。同様に、圧力センサ１１３は、Ｘ軸方向の負の向き（図の左向き）の力が加わると、当該負の向きに、厚みが縮んだ状態となる。圧力センサ１１４は、Ｘ軸方向の正の向き（図の右向き）の力が加わると、当該正の向きに、厚みが縮んだ状態となる。
【００３７】
圧力センサ１１１〜１１４は、タッチスクリーン１０５を保持するための接触圧（タッチスクリーンの荷重による圧を含む）と、タッチスクリーン１０５の４つの向きへの移動により生じる圧力とを検出する。言い換えると、圧力センサ１１１〜１１４は、それぞれ、側面５０１，５０２，５０３，５０４に加わる圧力を検出する。
【００３８】
図４（ｂ）を参照して、携帯型電話機１のユーザによる矢印８０１の向きの力によって、タッチスクリーン１０５がＹ軸方向の正の向きに移動した場合、圧力センサ１１１は変位する。これにより、圧力センサ１１１には、圧力センサ１１２〜１１４よりも大きな圧力を検出することになる。なお、図中の“δ”は、タッチスクリーン１０５の移動量を表すとともに、圧力センサ１１１の変位量を表している。以下では、説明を簡略化するため、便宜上、タッチスクリーン１０５を保持するための側面５０１〜５０４による接触圧を一定の値（後述する閾値Ｔｈと同じ値）とする。
【００３９】
図４（ｃ）を参照して、ユーザがタッチスクリーン１０５に対して矢印８０９の向きに力Ｆａで入力を行なった場合、圧力センサ１１１は、ｆ１＝Ｆａ×ｃｏｓθの圧力を検出する。なお、Ｚ軸方向の正の向き（図の下向き）の力の成分は、ｆ２＝Ｆａ×ｓｉｎθとなる。
【００４０】
ところで、図４（ｂ），（ｃ）では、矢印８０１の向き（つまりＹ軸方向の正の向き）に力が作用した場合を例に挙げて説明した。たとえば、Ｙ軸方向の負の向きに力Ｆａが作用した場合には、圧力センサ１１２が当該力ＦａのＹ軸方向の負の向きの成分（ｆ１）の圧力を検出する。また、Ｘ軸方向の負の向きに力Ｆａが作用した場合には、圧力センサ１１３が当該力ＦａのＸ軸方向の負の向きの成分（ｆ１）の圧力を検出する。また、Ｘ軸方向の正の向きに力Ｆａが作用した場合には、圧力センサ１１４が当該力ＦａのＸ軸方向の正の向きの成分（ｆ１）の圧力を検出する。なお、以下では、圧力センサ１１１，１１２，１１３，１１４が検出した圧力を各々、「圧力Ｐａ」、「圧力Ｐｂ」、「圧力Ｐｃ」、「圧力Ｐｄ」とも称する。
【００４１】
携帯型電話機１は、手書入力モードで動作している場合、４つの圧力センサ１１１〜１１４の各々により検出された４つの圧力Ｐａ〜Ｐｄの和（以下、「合計値Ｐｔ」と称する）を算出する。また、携帯型電話機１は、圧力の合計値Ｐｔが、予め定められた値以上であるか否かを判断する。具体的には、携帯型電話機１は、圧力の合計値Ｐｔが、フラッシュメモリ１０４に格納されていた閾値Ｔｈ以上であるか否かを判断する。携帯型電話機１は、圧力の合計値Ｐｔが閾値Ｔｈ以上の場合、タッチスクリーン１０５への手書入力に基づいた描画を行なう。以下、携帯型電話機１で行なわれる描画について説明する。
【００４２】
図５は、携帯型電話機１のユーザが指９０１で手書入力を行なった場合を表した図である。図５（ａ）は、弱い力を圧力センサ１１１〜１１４に加えて描画を行なったときに、タッチスクリーン１０５に表示される線画像７５１を表した図である。図５（ｂ）は、図５（ａ）のときよりも強い力を圧力センサ１１１〜１１４に加えて描画を行なったときに、タッチスクリーン１０５に表示される線画像７５２を表した図である。図５（ｃ）は、図５（ｂ）のときよりも強い力を圧力センサ１１１〜１１４に加えて描画を行なったときに、タッチスクリーン１０５に表示される線画像７５３を表した図である。
【００４３】
図５（ａ）〜（ｃ）を参照して、合計値Ｐｔが大きいほど、携帯型電話機１は、手書入力に基づいた線画像の線幅を太くする。それゆえ、ユーザは、細い線を描画したい場合には、タッチスクリーン１０５の表示面５００に平行な方向に弱い力が加わるように力を加えつつ、指９０１をタッチスクリーン１０５上で滑らせればよい。また、ユーザは、中位の線幅の線を描画したい場合には、タッチスクリーン１０５の表示面５００に平行な方向に中程度の力が加わるように力を加えつつ、指９０１をタッチスクリーン１０５上で滑らせればよい。また、ユーザは、太い線を描画したい場合には、タッチスクリーン１０５の表示面５００に平行な方向に強い力が加わるように力を加えつつ、指９０１をタッチスクリーン１０５上で滑らせればよい。
【００４４】
このように、ユーザは、手書入力の際に、タッチスクリーン１０５に加える力を調整することにより、所望とする線幅の線の描画を行なうことが可能となる。特に、ユーザは、線幅を太くしたい場合、描画する向き（指またはスタイラスペンを動かす向き）に力を加えることを意識すればよい。このため、描画する向きとは垂直に力を加える必要があるような従来の構成に比べて、携帯型電話機１は、優れた操作性を有する。
【００４５】
図６は、携帯型電話機１のユーザがスタイラスペン９５１を用いて手書入力を行なった場合を表した図である。図６を参照して、線画像７６１は、ユーザが弱い力でスタイラスペン９５１を位置８６１から位置８６２までタッチスクリーン１０５の表示面５００（正確には、タッチパネル１０５２の入力面）上を滑らせたときに表示される線画像である。線画像７６２は、ユーザが中程度の力でスタイラスペン９５１を位置８６２から位置８６３までタッチスクリーン１０５の表示面５００上を滑らせたときに表示される線画像である。線画像７６３は、ユーザが強い力でスタイラスペン９５１を位置８６３から位置８６４までタッチスクリーン１０５の表示面５００上を滑らせたときに表示される線画像である。
【００４６】
このように、ユーザは、手書入力の途中で加える力を変化させることにより、描画される線画像の線幅を変化させることができる。なお、指９０１を用いて描画する場合であっても、手書入力の途中で加える力を変化させることにより、描画される線画像の線幅を変化させることができる。
【００４７】
図７は、ペン先の摩擦係数が異なる３つのスタイラスペン９５１〜９５３を用いて手書入力を行なった場合を表した図である。以下では、スタイラスペン９５２のペン先の摩擦係数は、スタイラスペン９５１のペン先の摩擦係数よりも大きく、スタイラスペン９５３のペン先の摩擦係数は、スタイラスペン９５２のペン先の摩擦係数よりも大きいものとする。
【００４８】
図７（ａ）〜（ｃ）を参照して、ペン先の摩擦係数が大きいスタイラスペンを用いる場合には、ペン先の摩擦係数が小さいスタイラスペンを用いる場合に比べて、ユーザは、タッチスクリーン１０５の表示面５００に平行な方向に加える力を大きくする必要がある。
【００４９】
この理由を、図４（ｃ）に基づいて説明すれば、以下のとおりである。ｆ２を一定とした場合、ｆ１＝μＮ＝μｆ２となる。なお、μは動摩擦係数とする。このため、μが大きくなれば、ｆ１も大きくなる。このため、スタイラスペンのペン先の摩擦係数が大きいほど、ユーザは大きな力を加える必要がある。
【００５０】
以上のように、ペン先の摩擦係数が大きくなるにつれて、検出される圧力の合計値Ｐｔは大きくなる。したがって、ユーザは、ペン先の摩擦係数の異なるスタイラスペンを使い分けることによって、所望の線幅の線画像を描画させることができる。
【００５１】
図８は、圧力と線幅との関係を表した図である。図８（ａ）は、圧力と線幅との関係を表す第１の関数を表した図である。また、図８（ｂ）は、圧力と線幅との関係を表す第２の関数を表した図である。なお、携帯型電話機１が、第１の関数または第２の関数を用いるかは予め設定しておけばよい。
【００５２】
図８（ａ）を参照して、携帯型電話機１では、圧力（つまり、合計値Ｐｔ）が大きくなればなるほど線幅が太くなるように、圧力と線幅との関係がフラッシュメモリ１０４に予め格納されている。携帯型電話機１は、図８に示された関数に基づいて、描画に用いる線の線幅を、検出された圧力の合計値Ｐｔに対応した線幅に設定する。
【００５３】
図８（ｂ）を参照して、携帯型電話機１は、圧力の合計値Ｐｔが閾値Ｔｈ以上でかつ圧力Ｐ１未満の場合、手書入力に基づき線幅Ｗ１の線画像を描画する。また、携帯型電話機１は、合計値Ｐｔが圧力Ｐ１以上でかつ圧力Ｐ２未満の場合、手書入力に基づき線幅Ｗ２の線画像を描画する。また、携帯型電話機１は、合計値Ｐｔが圧力Ｐ２以上である場合、手書入力に基づき線幅Ｗ３の線画像を描画する。
【００５４】
なお、圧力と線幅との関係は、ユーザ設定に基づき変更可能であることが好ましい。また、関数は、一次関数に限定されず、高次関数（たとえば２次間数）であってもよい。また、圧力と線幅との関係は、圧力が高くなるにつれて線幅が細くなるような関係であってもよい。
【００５５】
図９は、携帯型電話機１での処理の流れを表したフローチャートである。図９を参照して、ステップＳ２において、携帯型電話機１（詳しくは、ＣＰＵ１０１）は、タッチパネル１０５２への入力があったか否かを判断する。携帯型電話機１は、入力があったと判断した場合（ステップＳ２においてＹＥＳ）、ステップＳ４において、検出された圧力の合計値Ｐｔが閾値Ｔｈ以上であるか否かを判断する。携帯型電話機１は、入力がないと判断すると（ステップＳ２においてＮＯ）、処理をステップＳ２に進める。
【００５６】
携帯型電話機１は、閾値Ｔｈ以上であると判断した場合（ステップＳ４においてＹＥＳ）、ステップＳ６において、描画に用いる線の線幅を、圧力の合計値Ｐｔに応じた線幅に設定する。携帯型電話機１は、閾値Ｔｈ未満であると判断した場合（ステップＳ４においてＮＯ）、処理をステップＳ１４に進める。ステップＳ８において、携帯型電話機１は、手書入力に基づき、設定した線幅で描画を実行する。ステップＳ１０において、携帯型電話機１は、圧力の合計値Ｐｔが変化したか否かを判断する。
【００５７】
携帯型電話機１は、変化したと判断した場合（ステップＳ１０においてＹＥＳ）、ステップＳ１２において、圧力の合計値Ｐｔが閾値Ｔｈ未満であるか否かを判断する。携帯型電話機１は、変化していないと判断した場合（ステップＳ１０においてＮＯ）、処理をステップＳ８に進める。
【００５８】
携帯型電話機１は、閾値Ｔｈ未満であると判断した場合（ステップＳ１２においてＹＥＳ）、ステップＳ１４において、タッチパネル１０５２への入力がなくなったか否かを判断する。携帯型電話機１は、閾値Ｔｈ以上であると判断した場合（ステップＳ１２においてＮＯ）、処理をステップＳ６に進める。携帯型電話機１は、入力がなくなったと判断した場合（ステップＳ１４においてＹＥＳ）、一連の手書入力処理を終了する。携帯型電話機１は、入力が継続していると判断した場合（ステップＳ１４においてＮＯ）、処理をステップＳ４に進める。
【００５９】
＜変形例＞
（１）上記においては、検出された圧力Ｐａ〜Ｐｄの合計値Ｐｔに応じた線幅の線で描画を実行する構成を例に挙げて説明した。しかしながら、合計値Ｐｔに対応付けることができるのは線幅に限定されるものではない。携帯型電話機１においては、線の属性を合計値Ｐｔに対応付けることができる。線の属性としては、線幅以外に、たとえば、線の濃度、線種、線の色が挙げられる。
【００６０】
図１０は、圧力の合計値Ｐｔと線の属性との対応付けを表した図である。図１０（ａ）は、圧力（合計値Ｐｔ）と濃度との対応付けを表した図である。図１０（ｂ）は、圧力と線幅と濃度との対応付けを表した図である。図１０（ｃ）は、圧力と線種との対応関係を表した図である。図１０（ｄ）は、圧力の線の色との対応関係を表した図である。
【００６１】
図１０（ａ）を参照して、携帯型電話機１（詳しくは、ＣＰＵ１０１）は、フラッシュメモリ１０４に予め格納されたデータテーブル１００１を用いて、合計値Ｐｔが閾値Ｔｈ以上かつ圧力Ｐ１未満の場合には、線の濃度をＣ１に設定する。また、携帯型電話機１は、合計値Ｐｔが圧力Ｐ１以上かつ圧力Ｐ２未満の場合には、線の濃度をＣ１よりも濃い濃度であるＣ２に設定する。また、携帯型電話機１は、合計値Ｐｔが圧力Ｐ２以上の場合には、線の濃度をＣ２よりも濃い濃度であるＣ３に設定する。このように、ユーザは、手書入力の際に加える力を増加させるほど、濃い線を描くことが可能となる。
【００６２】
図１０（ｂ）を参照して、携帯型電話機１は、フラッシュメモリ１０４に予め格納されたデータテーブル１００１を用いて、合計値Ｐｔが閾値Ｔｈ以上かつ圧力Ｐ１未満の場合には、線の幅をＷ１に設定し、かつ線の濃度をＣ１に設定する。また、携帯型電話機１は、合計値Ｐｔが圧力Ｐ１以上かつ圧力Ｐ２未満の場合には、線の幅をＷ２に設定し、かつ線の濃度をＣ２に設定する。また、携帯型電話機１は、合計値Ｐｔが圧力Ｐ２以上の場合には、線の幅をＷ３に設定し、かつ線の濃度をＣ３に設定する。このように、ユーザは、手書入力の際に加える力を増加させるほど、太い線かつ濃い線を描くことが可能となる。
【００６３】
図１０（ｃ）を参照して、携帯型電話機１は、フラッシュメモリ１０４に予め格納されたデータテーブル１００３を用いて、合計値Ｐｔが閾値Ｔｈ以上かつ圧力Ｐ１未満の場合には、線の線種を実線に設定する。また、携帯型電話機１は、合計値Ｐｔが圧力Ｐ１以上かつ圧力Ｐ２未満の場合には、線の線種を破線に設定する。また、携帯型電話機１は、合計値Ｐｔが圧力Ｐ２以上の場合には、線の線種を波線に設定する。このように、ユーザは、手書入力の際に加える力を変えることにより、線の種別を変更することが可能となる。
【００６４】
図１０（ｄ）を参照して、携帯型電話機１は、フラッシュメモリ１０４に予め格納されたデータテーブル１００４を用いて、合計値Ｐｔが閾値Ｔｈ以上かつ圧力Ｐ１未満の場合には、線の色を黒色に設定する。また、携帯型電話機１は、合計値Ｐｔが圧力Ｐ１以上かつ圧力Ｐ２未満の場合には、線の色を青色に設定する。また、携帯型電話機１は、合計値Ｐｔが圧力Ｐ２以上の場合には、線の色を赤色に設定する。このように、ユーザは、手書入力の際に加える力を変えることにより、線の色を変更することが可能となる。
【００６５】
（２）上記においては、圧力センサ１１１〜１１４によって検出された各圧力の合計値Ｐｔを手書入力時の線の属性を設定するために利用した。しかしながら、属性を設定するために、必ずしも合計値Ｐｔを用いる必要はない。たとえば、検出された４つの圧力のうち、最大の値を利用して線の属性を設定するように、携帯型電話機１を構成してもよい。あるいは、検出された４つの圧力のうち、最大の値と次に大きな値との和を利用して線の属性を設定するように、携帯型電話機１を構成してもよい。
【００６６】
（３）上記においては、表示部の一例としてタッチスクリーン１０５を例に挙げて説明したが、これに限定されるものではない。つまり、タッチ位置の座標を検出し、かつ画像を表示するためのデバイスは、特に限定されるものではない。たとえば、タッチスクリーン１０５の代わりに、光センサ液晶のような画像スキャン機能を有するデバイスを携帯型電話機１の表示部として用いてもよい。
【００６７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００６８】
１  携帯型電話機、１０  筐体、１０ａ  開口部、１０４  フラッシュメモリ、１０５  タッチスクリーン、１０９  カードリーダライタ、１１１，１１２，１１３，１１４  圧力センサ、５００  表示面、５０１，５０２，５０３，５０４  側面、５０５  裏面、７５１，７５２，７５３，７６１，７６２，７６３  線画像、９０１  指、９５１，９５２，９５３  スタイラスペン、１００１，１００３，１００４  データテーブル、１０５１  ディスプレイ、１０５２  タッチパネル、１０９１  メモリカード、Ｎ１，Ｎ２，Ｎ３，Ｎ４  法線。
【図１】
2013137696.tif 000003
【図２】
2013137696.tif 000004
【図３】
2013137696.tif 000005
【図４】
2013137696.tif 000006
【図５】
2013137696.tif 000007
【図６】
2013137696.tif 000008
【図７】
2013137696.tif 000009
【図８】
2013137696.tif 000010
【図９】
2013137696.tif 000011
【図１０】
2013137696.tif 000012